(57)【要約】【課題】  静電霧化装置が生成する帯電微粒子水の原料となる水を簡単に、しかも効率よく静電霧化装置に自動供給することのできる、新しい換気設備を提供する。【解決手段】  換気扇または換気システムの室内吹き出し口部（１）に帯電微粒子水（２）を生成する静電霧化装置（３）が設置されている換気設備であって、この換気設備内で発生した結露水を回収する結露水回収部（４）と、回収された結露水を静電霧化装置（３）に搬送する結露水搬送部（５）とを備えている換気設備とする。【選択図】図１
2005308304.tif 000002
【特許請求の範囲】
【請求項１】
換気扇または換気システムの室内吹き出し口部に帯電微粒子水を生成する静電霧化装置が設置されている換気設備であって、この換気設備内で発生した結露水を回収する結露水回収部と、回収された結露水を静電霧化装置に搬送する結露水搬送部とを備えていることを特徴とする換気設備。
【請求項２】
静電霧化装置は、室内吹き出し口部の内部または近傍外部に設置され、静電霧化装置が生成する帯電微粒子水を前記室内吹き出し口部から室内側へ送風される給気とともに吹き出させる請求項１記載の換気設備。
【請求項３】
換気システムは、高湿度環境の室内から取り込んだ空気を高湿度空気として給気管を通じて室内吹き出し口部に供給するとともに室内に給気するシステムを少なくともその一部として有し、また給気管を前記高湿度空気が有する水分を給気管で結露水として結露させる結露部としても機能させ、この結露水を静電霧化装置の結露水回収部にて回収する請求項１または２記載の換気設備。
【請求項４】
給気管は、室内吹き出し口部に向かって下り勾配を形成するように設けられている請求項３記載の換気設備。
【請求項５】
室内吹き出し口部は、熱交換素子を具備した熱交換換気扇または熱交換ユニットの一部として構成されている、もしくは、熱交換素子を具備した換気機能付きまたは熱交換換気機能付きの空調機の一部として構成され、また熱交換素子を空気中の水分を熱交換素子で結露水として結露させる結露部としても機能させ、この結露水を静電霧化装置の結露水回収部にて回収する請求項１から４いずれかに記載の換気設備。
【請求項６】
結露水回収部は、熱交換素子の下方に位置するように配置されている請求項５記載の換気設備。
【発明の詳細な説明】
【技術分野】
【０００１】
この出願の発明は、換気設備に関するものである。さらに詳しくは、この出願の発明は、静電霧化装置が生成する帯電微粒子水の原料となる水を簡単に、しかも効率よく静電霧化装置に自動供給することのできる、新しい換気設備に関するものである。
【背景技術】
【０００２】
従来、室内の空気清浄化、あるいは、室内の温度や湿度の制御等の空気環境を整えるためには、空気清浄機や換気システムを利用することが知られている。
【０００３】
たとえば、空気清浄機を利用した空気環境の整備では、空気清浄機の内部に殺菌作用を有する液体、あるいは、脱臭作用を有する液体等、種々の機能作用を有する機能性液体を溜めることのできる生成槽（タンク）を備え、これら機能性液体を霧化して放出することのできる静電霧化装置を搭載した空気清浄機を利用したものが提案されている（特許文献１）。この空気清浄機では、前記機能性液体の霧化・放出、すなわち帯電微粒子水によって、細菌や臭い等の除去を実現することができるようにしている。
【０００４】
また、一方、従来の換気システムでは、たとえば、図９に示したような、給気ファン（ア）を各室内（イ）に設置し、排気ファン（ウ）をトイレ（エ）や洗面所（オ）に設置して、家全体の換気を行う換気システムが知られている。
【０００５】
しかしながら、特許文献１に記載された空気清浄機については、換気機能を有していないため、室内で発生した二酸化炭素等のガス状物質や湿気を屋外へ排出することは困難であるという問題があった。また、図９に例示した換気システムでは、二酸化炭素等のガス状物質や湿気を屋外へ排出する等の部屋の空気を入れ換える（換気機能）だけであって、部屋の空間に存在する細菌や臭い等の各種の有害物質の除去や分解を行って空気清浄効果を得ることができないという問題があった。
【０００６】
このため、空気清浄効果と換気機能を同時に実現するために、たとえば、特許文献１記載の空気清浄機を、図９の換気システムに設置することが考慮される。
【特許文献１】特開２００３−７９７１４号公報
【発明の開示】
【発明が解決しようとする課題】
【０００７】
しかしながら、特許文献１に記載された空気清浄機が生成する帯電微粒子水の原料となる水、つまり原料水（もしくは、機能性液体）は、使用者自らが生成槽（タンク）を取り出す等をして供給する必要がある。このことを考慮すると、単に空気清浄機を換気システムに設置しただけでは、図９に例示した換気システムをはじめとする多くの換気システムは、天井や壁面に組込まれているため、原料水（もしくは、機能性液体）の供給の際には、使用者に大きな負担をかけることになる。すなわち、生成槽（タンク）を取り出しての水を供給する作業自体はもちろん、生成槽（タンク）を取り出すための扉等を壁面等に設ける必要がある等、原料水の供給作業に問題があった。
【０００８】
そこで、以上のとおりの背景から、この出願の発明は、従来の問題点を解消して、静電霧化装置が生成する帯電微粒子水の原料となる水を簡単に、しかも効率よく静電霧化装置に自動供給することのできる、新しい換気設備を提供することを課題としている。
【課題を解決するための手段】
【０００９】
この出願の発明は、上記の課題を解決するものとして、第１には、換気扇または換気システムの室内吹き出し口部に帯電微粒子水を生成する静電霧化装置が設置されている換気設備であって、この換気設備内で発生した結露水を回収する結露水回収部と、回収された結露水を静電霧化装置に搬送する結露水搬送部とを備えていることを特徴とする換気設備を提供し、第２には、静電霧化装置は、室内吹き出し口部の内部または近傍外部に設置され、静電霧化装置が生成する帯電微粒子水を前記室内吹き出し口部から室内側へ送風される給気とともに吹き出させる換気設備を提供する。
【００１０】
また、この出願の発明は、第３には、換気システムは、高湿度環境の室内から取り込んだ空気を高湿度空気として給気管を通じて室内吹き出し口部に供給するとともに室内に給気するシステムを少なくともその一部として有し、また給気管を前記高湿度空気が有する水分を給気管で結露水として結露させる結露部としても機能させ、この結露水を静電霧化装置の結露水回収部にて回収する換気設備を提供し、第４には、給気管は、室内吹き出し口部に向かって下り勾配を形成するように設けられている換気設備を提供する。
【００１１】
さらに、この出願の発明は、第５には、室内吹き出し口部は、熱交換素子を具備した熱交換換気扇または熱交換ユニットの一部として構成されている、もしくは、熱交換素子を具備した換気機能付きまたは熱交換換気機能付きの空調機の一部として構成され、また熱交換素子を空気中の水分を熱交換素子で結露水として結露させる結露部としても機能させ、この結露水を静電霧化装置の結露水回収部にて回収する換気設備を、第６には、結露水回収部は、熱交換素子の下方に位置するように配置されている換気設備を提供する。
【発明の効果】
【００１２】
上記のとおりのこの出願の第１の発明の換気設備によれば、静電霧化装置が生成する帯電微粒子水の原料となる水を簡単に、しかも効率よく静電霧化装置に自動供給することができる。
【００１３】
また、第２の発明によれば、以上のような効果に加え、換気において屋外からの空気に効率よく帯電微粒子水を混入させることができるため、ウイルス、細菌およびカビの不活化作用、脱臭作用等の空気清浄効果を室内全体にゆきわたらせることができる。
【００１４】
第３の発明によれば、以上のような効果とともに、浴室等の高湿度環境の空気に含まれる水分を効率よく帯電微粒子水の原料水として静電霧化装置に自動供給することができる。
【００１５】
第４の発明によれば、第３の発明の効果において、さらに効率よく、高湿度環境の空気に含まれる水分を静電霧化装置に自動供給することができる。
【００１６】
第５の発明によれば、以上のような効果とともに、熱交換素子から発生する結露水を回収し、効率よく帯電微粒子水の原料水として静電霧化装置に自動供給することができる。
【００１７】
第６の発明によれば、第５の発明の効果において、さらに効率よく、熱交換素子から発生する結露水を回収して静電霧化装置に自動供給することができる。
【発明を実施するための最良の形態】
【００１８】
この出願の発明は、上記のとおりの特徴をもつものであるが、以下に、添付した図面に沿って、この出願の発明の実施形態について詳細かつ具体的に説明する。
【００１９】
図１は、この出願の発明の換気設備の一実施形態を例示した断面図である。
【００２０】
まず、図１に沿って、この出願の発明の換気設備を説明する。この出願の発明の換気設備は、換気扇または換気システムの室内吹き出し口部（１）に帯電微粒子水（２）を生成する静電霧化装置（３）が設置されている換気設備である。そして、この室内吹き出し口部（１）には、この換気設備内で発生した結露水を回収する結露水回収部（４）と、回収された結露水を静電霧化装置（３）に搬送する結露水搬送部（５）とをさらに備えている。この換気設備内とは、たとえば、後述する給気管の内部、熱交換換気扇や空調機に具備されている熱交換素子等であり、多くの場合、これら給気管の内部や熱交換素子の周辺で結露水が発生する。
【００２１】
具体的には、矢印A1で示した屋外（７）からの空気（給気）が、ファン（図示せず）等により取り込まれ、室内吹き出し口部（１）を通じて室内（６）へと給気されている。このとき、室内吹き出し口部（１）の内部に設置されている静電霧化装置（３）、詳しくは静電霧化装置（３）の吹き出し口（３０１）から発生される帯電微粒子水（２）が、給気と混入されるため、給気は清浄化されてフィルタ（８）を通過して室内（６）へと送風されることになる。つまり、帯電微粒子水（２）を室内吹き出し口部（１）から室内（６）側へ送風される給気とともに吹き出させている。そして、帯電微粒子水（２）の原料となる水（原料水）は、上記のとおり、換気設備内で発生する結露水を利用する。結露水は、結露水回収部（４）にて回収し、この回収された結露水を結露水搬送部（５）で、静電霧化装置（３）へと搬送されることで原料水として供給されている。
【００２２】
このような構成とすることで、静電霧化装置（３）の効果を十分に発揮することができる換気設備であるとともに、そのために必要な帯電微粒子水（２）の原料となる水（原料水）を煩雑な作業を必要とせずに簡単に、しかも効率よく静電霧化装置（３）に自動供給（補給）することができる。
【００２３】
なお、この図１の例では、静電霧化装置（３）、詳しくは静電霧化装置（３）の吹き出し口（３０１）が室内吹き出し口部（１）の内部に設置されているが、室内吹き出し口部（１）の近傍外部に設置されていてもよい。また、フィルタ（８）の設置位置についても、静電霧化装置（３）の屋外（７）側に設置されていてもよい。
【００２４】
図２は、この出願の発明の換気設備のシステム構成例として、屋外からの空気とともに浴室からの高湿度の空気を給気する実施形態を模式的に例示した断面図である。また、図３は、図２における給気グリルの内部構成を例示した要部拡大断面図である。
【００２５】
図２および図３に例示したとおり、この出願の発明の換気設備における換気システムは、矢印A1で示した屋外からの空気（給気）とともに、浴室用天埋換気扇（９）によって浴室（１０）等の高湿度環境の室内から取り込んだ空気、すなわち矢印A2で示した高湿度空気を給気管（１１）を通じて、室内吹き出し口部（１）に供給して、給気と高湿度空気との混合空気に帯電微粒子水を作用させ、室内（６）に吹き出すシステムを少なくともその一部として有している。そして、給気管（１１）は結露部としても機能するため、給気管（１１）の内部で、前記高湿度空気が有する水分を結露水として結露させることができる。この結露水を結露水回収部（４）にて効率よく回収し、結露水搬送部（５）によって静電霧化装置（３）内へ帯電微粒子水（２）の原料水として自動供給している。
【００２６】
このとき、給気管（１１）は、室内吹き出し口部（１）に向かって下り勾配を形成するように設けることで、給気管（１１）内で発生した結露水がこの下り勾配を伝い、室内吹き出し口部（１）に備えられた結露水回収部（４）でさらに効率よく回収することができる。そして、室内（６）の汚れた空気は、ファン（１２）等により矢印Bに示したように屋外（７）へ排気される。
【００２７】
図４の実施例は、基本的な点は図１の例とほぼ同様であるが、熱交換素子（１３）を具備している点で異なっている。すなわち、この図４の例では、熱交換素子（１３）として換気用の熱交換素子（１３１）を具備した熱交換換気扇または熱交換ユニットとして構成されている換気扇または換気システムの室内吹き出し口部（１）に、帯電微粒子水（２）を生成する静電霧化装置（３）の吹き出し口（３０１）が配設されている。そして、静電霧化装置（３）の吹き出し口（３０１）の配設位置については、熱交換素子（１３）、すなわち換気用の熱交換素子（１３１）の室内（６）側に設けられていることで、換気用の熱交換素子（１３１）を通過した矢印A1で示した外気に帯電微粒子水（２）を混入させることができる。そして、この出願の発明の換気設備には、換気用の熱交換素子（１３１）の周辺部から発生する結露水を効率よく回収し、静電霧化装置（３）に搬送するために結露水回収部（４）と結露水搬送部（５）も備えている。この換気用の熱交換素子（１３１）は、空気中の水分を結露水として結露させる結露部としての機能も有している。
【００２８】
なお、静電霧化装置（３）の吹き出し口（３０１）は、帯電微粒子水（２）を換気用の熱交換素子（１３１）を通過した矢印A1で示した外気と混入させることのできる位置であれば、室内吹き出し口部（１）の内部に配設されていてもよいし、近傍外部に配設されていてもよい。
【００２９】
この図４の実施例について、さらに説明すると、換気用の熱交換素子（１３１）は、通気孔（１４）を通じて矢印A1に示した屋外（７）からの空気（外気）と、通気孔（１５）を通じて矢印Bに示した室内（６）からの空気（排気）とが、この換気用の熱交換素子（１３１）を挟んで混じることなく温度のみ、または温湿度を伝え合うことができる。このため、熱ロスを抑制して省エネルギーを実現することができる。したがって、熱交換換気扇の室内吹き出し口部（１）の内部に、静電霧化装置（３）と換気用の熱交換素子（１３１）を配設することにより、ファン（図示せず）によって取り込まれた矢印A1に示した外気は、矢印Bに示した排気から適度な温度のみ、または温湿度を伝達され、静電霧化装置（３）からの帯電微粒子水（２）との混入により清浄化され、適度な温度と湿度、さらには抗ウイルス作用や殺菌作用、脱臭作用等の種々の有益な作用を有したクリーンな空気となって室内（６）全体に給気される。また、結露水回収部（４）と結露水搬送部（５）を備えることで、前記のとおり、熱交換素子（１３）の周辺部で発生する結露水を回収して、帯電微粒子水（２）の原料水として自動的に供給され、活用することができる。
【００３０】
なお、換気システム（もしくは、換気扇）としては、ファンを備えていない自然給気方式のものでもよいが、効率よく屋外の空気（外気）を取り込み、また、室内へ吹き出し給気する際に、これを効率化するために、ファン等による強制給気方式を採用することが好ましい。また、排気についても、ファンを備えていない自然排気方式でもよいし、ファン等による強制排気方式でもよい。
【００３１】
図５は、この出願の発明の換気設備のシステム構成例として、熱交換換気ユニットを備えた場合における空気の流れを示した平面模式図である。
【００３２】
図５に例示したとおり、たとえば、自然給気方式もしくは強制給気方式で、矢印A1に示したように外気を取り込み、給気管（１１）を通じて、各室内（６）に設けられている室内吹き出し口部としての給気グリル（１６）から室内（６）に外気を給気している。給気グリル（１６）の内部には、静電霧化装置（３）が設けられており、給気管（１１）を通じて導かれた空気（外気）に対して、帯電微粒子水（２）を作用させている。なお、静電霧化装置（３）は、室内吹き出し口部としての給気グリル（１６）の近傍外部でもよい。
【００３３】
そして、室内の排気は、排気管（１７）や排気口（図示せず）等を通じて矢印Bに示したように屋外（７）へ効率よく自然排気させている（ファンを利用しない自然排気方式）。もちろん、排気の方式については、ファン等を利用しての強制排気方式でもよい。
【００３４】
上記のとおりの機能を有する熱交換素子を備えた熱交換換気ユニット（１８）を配設することにより、矢印A1に示した屋外（７）からの空気（給気）と矢印Bに示した室内（６）からの空気（排気）とが、熱交換換気ユニット（１８）の内部に備えられた熱交換素子を挟んで混じることなく温度のみ、または温湿度を伝え合い、給気グリル（１６）にて外気に静電霧化装置（３）によって生成された帯電微粒子水（２）を作用させることができる。
【００３５】
そして、このようなシステム構成をもつ換気設備においても、図２および図３に例示したように室内吹き出し口部（１）に備えた結露水回収部（４）と結露水搬送部（５）により、発生した結露水を回収し、静電霧化装置（３）に搬送して帯電微粒子水（２）の原料水として供給することができる。
【００３６】
さらに、図６および図７に例示したとおり、この出願の発明の換気設備は、換気機能付き、または、熱交換換気機能付きの空調機に適用することもできる。
【００３７】
図６は、この出願の発明の換気設備のさらに別の実施形態を例示した断面図である。また、図７は、この出願の発明の換気設備のさらにまた別の実施形態を例示した断面図である。
【００３８】
まず、この図６の実施例では、図１や図４の実施例と同様に、換気扇または換気システムの室内吹き出し口部の内部または近傍外部に、帯電微粒子水（２）を生成する静電霧化装置（３）の吹き出し口（３０１）が配設されているが、室内吹き出し口部が熱交換素子（１３）を具備している換気機能付きの空調機（１９）、もしくは、後述の熱交換換気機能付きの空調機として構成されている点で異なっている。そして、静電霧化装置（３）の吹き出し口（３０１）の配設位置については、熱交換素子（１３）の室内（６）側に設けられている。このときの熱交換素子（１３）は、換気用の熱交換素子（１３１）でも空調機用の熱交換素子（１３２）のどちらでもよい。
【００３９】
この図６の実施例をさらに詳しく説明すると、矢印A1で示した屋外からの空気（外気）は、熱交換素子（１３）としての空調機用の熱交換素子（１３２）を通過し、静電霧化装置（３）からの帯電微粒子水（２）と混合・作用されている。そして、矢印Cで示した室内の空気（循環空気）は、空調機（１９）によって取り込まれ、空調機用の熱交換素子（１３２）を介することによって、適切な温度、湿度が付与され、前記の帯電微粒子水（２）と合流・作用された矢印A1の外気とともに室内（６）に給気される。そして、静電霧化装置（３）が生成する帯電微粒子水（２）の原料水は、熱交換素子（１３）の周辺部から発生する結露水を利用する。すなわち、図１および図４の実施例と同様に、結露水回収部（４）と結露水搬送部（５）とを備えることで、空調機用の熱交換素子（１３２）の周辺部で発生する結露水を効率よく回収するとともに、回収した結露水を静電霧化装置（３）に搬送することができ、帯電微粒子水（２）の原料水として自動的に供給（補給）することが可能となる。
【００４０】
次に、この出願の発明の換気設備は、図７に例示したとおり、熱交換換気機能付きの空調機（１９）にも適用することができる。基本的な点は図１や図４、図６の実施例とほぼ同様である。この図７に示した実施例をさらに説明すると、換気設備での空調機（１９）の内部には、熱交換素子（１３）として、換気用の熱交換素子（１３１）とともに空調機用の熱交換素子（１３２）が備えられている。このため、矢印A1に示した外気は、矢印Bに示した排気から適度な温度および湿度を伝達し合い、静電霧化装置（３）からの帯電微粒子水（２）により清浄化される。また、矢印Cで示した室内（６）の空気（循環空気）は、空調機（１９）によって取り込まれ、空調機用の熱交換素子（１３２）を介することによって、適切な温度、湿度が付与される。このとき、矢印Cで示した循環空気は、当然に帯電微粒子水（２）によって清浄化された室内の空気であってもよい。これによって、帯電微粒子水（２）が有する種々の有益な作用効果が付与されたクリーンな空気に、さらに適度な温度と湿度を付与することができ、室内をより快適で、クリーンな空気環境とすることができる。そして、図１や図４、図６の実施例と同様に、結露水回収部（４）と結露水搬送部（５）とにより、換気用の熱交換素子（１３１）や空調機用の熱交換素子（１３２）の周辺部で発生する結露水を静電霧化装置（３）に供給することができる。つまり、これら換気用の熱交換素子（１３１）や空調機用の熱交換素子（１３２）は、空気中の水分を結露水として結露させる結露部としての機能も有している。
【００４１】
さらに、図４、図６および図７の実施例において、さらに効率よく結露水を回収するために、結露水回収部（４）を熱交換素子（１３）の下方に位置するように配置することが好ましい。また、この結露水回収部（４）の形状としては、結露水を効率よく回収できるのでれば、特に制限されるものでなく、たとえば、椀状や皿状等とすることが考慮できる。
【００４２】
図８は、この出願の発明の換気設備における静電霧化装置の内部構成例を模式的に示した断面図である。
【００４３】
この図８に例示したとおり、この出願の発明の換気設備における静電霧化装置（３）は、吹き出し口（３０１）、タンク（３０２）、液体溜め部（３０３）、霧化手段（３０４）および霧化槽（３０５）等で構成され、タンク（３０２）、液体溜め部（３０３）および霧化槽（３０５）とが連通している。そしてさらに、結露水回収部（４）と結露水搬送部（５）も備えられている。結露水搬送部（５）は、タンク（３０２）を介して液体溜め部（３０３）に通じている。
【００４４】
この出願の発明における静電霧化装置（３）では、帯電微粒子水（２）の原料水として、上記のとおり、室内吹き出し口部、室内や給気管、熱交換素子等で発生する結露水（W）も使用することができることから、この結露水（W）を回収する結露水回収部（４）と、回収した結露水（W）を搬送する結露水搬送部（５）とを備えていることで、結露水（W）を静電霧化装置（３）のタンク（３０２）に貯蔵することができる。このように室内で発生する結露水（W）を回収して利用するため、帯電微粒子水（２）の原料水は、使用者が供給せずとも煩雑な作業をせずに簡単に、しかも効率よく自動的に供給される。
【００４５】
もちろん、このタンク（３０２）内に供給・貯蔵された原料水は、より効果的な抗ウイルス作用、殺菌作用、脱臭作用等を有する帯電微粒子水（２）を発生させるために抗ウイルス剤、殺菌剤、脱臭剤等を配合する等して、機能性液体（２０１）とすることもできる。なお、原料水は、自動供給される結露水（W）が好ましいが、このほかに、たとえば、水道水や蒸留水、イオン水、オゾン水等の各種の水を使用してもよいため、これらの水を使用者自身が供給することもできる。
【００４６】
そして、原料水（もしくは、機能性液体（２０１））は、タンク（３０２）から液体溜め部（３０３）に供給されて溜められる。液体溜め部（３０３）に溜められた原料水（もしくは、機能性液体（２０１））に電圧の印加等の霧化手段（３０４）により、霧化槽（３０５）内で原料水（もしくは、機能性液体（２０１））を霧化（静電霧化）させる。静電霧化された液体、すなわち、帯電微粒子水（２）は、活性種（たとえば、ヒドロキシラジカルやスーパーオキサイド等）を有し、しかも強い電荷量も有することになり、吹き出し口（３０１）から吹き出される。このような電荷を有する帯電微粒子水（２）には、空気中のウイルス、細菌、カビ等の不活化、さらに脱臭作用等といった作用を有しているため、室内の空気環境を浄化するのに極めて有効である。このため、屋外から導かれた空気（外気）を前記帯電微粒子水（２）とともにファン等で室内（６）へと送り込むことにより、空気の入れ換え等といった換気機能とともに、室内（６）全体に抗ウイルス作用、殺菌作用、脱臭作用等の空気清浄効果を室内（６）全体にゆきわたらせることができ、快適な室内環境を実現することができる。なお、霧化手段（３０４）は、電圧印加装置以外にも、超音波装置等を使用することができる。
【００４７】
もちろん、この出願の発明の換気設備は、以上の例示によって限定されるものではない。
【図面の簡単な説明】
【００４８】
【図１】この出願の発明の換気設備の一実施形態を例示した断面図である。
【図２】この出願の発明の換気設備のシステム構成例として、屋外からの空気とともに浴室からの高湿度の空気を給気する実施形態を模式的に例示した断面図である。
【図３】図２における室内吹き出し口部の内部構成を例示した要部拡大断面図である。
【図４】この出願の発明の換気設備の別の実施形態を例示した断面図である。
【図５】この出願の発明の換気設備のシステム構成例として、熱交換換気ユニットを備えた場合における空気の流れを示した平面模式図である。
【図６】この出願の発明の換気設備のさらに別の実施形態を例示した断面図である。
【図７】この出願の発明の換気設備のさらにまた別の実施形態を例示した断面図である。
【図８】この出願の発明の換気設備における静電霧化装置の内部構成例を模式的に示した断面図である。
【図９】従来の換気システムのシステム構成を例示した平面模式図である。
【符号の説明】
【００４９】
１  室内吹き出し口部
２  帯電微粒子水
２０１  機能性液体
３  静電霧化装置
３０１  吹き出し口
３０２  タンク
３０３  液体溜め部
３０４  霧化手段
３０５  霧化槽
４  結露水回収部
５  結露水搬送部
６  室内
７  屋外
８  フィルタ
９  浴室用天埋換気扇
１０  浴室
１１  給気管
１２  ファン
１３  熱交換素子
１３１  換気用の熱交換素子
１３２  空調機用の熱交換素子
１４、１５  通気孔
１６  給気グリル
１７  排気管
１８  熱交換換気ユニット
１９  空調機
W  結露水
【図１】
2005308304.tif 000003
【図２】
2005308304.tif 000004
【図３】
2005308304.tif 000005
【図４】
2005308304.tif 000006
【図５】
2005308304.tif 000007
【図６】
2005308304.tif 000008
【図７】
2005308304.tif 000009
【図８】
2005308304.tif 000010
【図９】
2005308304.tif 000011